(57)【要約】【課題】動画広告が掲載されるウエブページ数を、広告主体労力を抑えつつ、飛躍的に増加させる。【解決手段】動画広告３４１ｃを含むウエブページを表示するウンイドウＷａから、ポインティングディバイスのカーソル６３ｐを用いて、動画広告３４１ｃをドラッグアンドドップによって、他のウエブページを表示するウインドウＷｂへコピー、又は移動させる。これによって、動画広告のドラッグの基点となったウエブページを所有者にポイントが加算され、さらに、動画広告がドロップされたウエブページの所有者にもポイントが加算される。ポイントの加算によって、動画広告コピーの動議付けが行われ、広告主体の労力を使うことなく、動画広告を含むウエブページが増加する。【選択図】図７
2007286658.tif 000002
【特許請求の範囲】
【請求項１】
ウエブページ情報が記憶されたウエブページ情報記憶部と、前記ウエブページ情報記憶部に記憶されている表示情報を所有する表示主体を特定する情報を記憶する会員情報記憶部と、前記ウエブページ情報に付加される動画広告の動画情報を記憶する動画情報記憶部とを備えたサーバーと、
表示主体を特定する情報を前記サーバーに供給することで、前記サーバーのウエブページ情報記憶部からウエブページ情報を取得して、これを画面のウエブページ表示領域に表示するブラウザを備えた表示端末とを備え、
前記ブラウザは、表示画面上に表示された複数のウエブページ表示領域のうちの１つに含まれている動画広告を、他のウエブページ表示領域へドラッグアンドドロップ操作によりコピー可能であって、
ドラッグアンドドロップ操作に基づき、コピー元のブラウザ情報を所有する表示主体を特定する情報を前記サーバーに供給するコピー元情報供給手段と、
コピー先のブラウザ情報を所有する表示主体を特定する情報を前記サーバーへ供給するコピー先情報供給手段とを有し、
前記サーバーは、前記コピー元情報供給手段からのコピー元情報の供給に基づき、コピー元情報によって特定された表示主体のポイント記憶部に記憶されているポイント数を変更するコピー元ポイント変更手段と、
前記コピー先情報供給手段からのコピー先情報の供給に基づき、コピー先情報によって特定された表示主体のポイント記憶部に記憶されているポイント数を変更するコピー先ポイント変更手段とを備えることを特徴とする広告システム。
【発明の詳細な説明】
【技術分野】
【０００１】
本発明は、広告システムにかかり、より詳細には、動画広告を多数のウエブページへ頒布可能な広告システムに関する。
【背景技術】
【０００２】
従来のインターネット広告では、ウエブページ上の広告をクリックすると、そのクリックをした人、或いは広告が掲載されているウエブページの主催者に、広告主体からポイントなどの有価価値が付与されているシステムがある。  
このシステムは、有価価値を付与することによって、広告を見ること、或いは広告をウエブページに広告を掲載することに動機付けを与え、宣伝効果を向上させるように構成されている。
【特許文献１】特開２００５−９９８８３号
【発明の開示】
【発明が解決しようとする課題】
【０００３】
上記従来の広告システムでは、広告が掲載されているウエブページは、広告主体又はウエブページの主催者がこれを作成し、広告効果を上げる為には、動画広告が表示されるウエブページを多数作成する必要があり、ページ作成に時間と労力が必要となる。
【０００４】
本発明の目的は、動画広告が掲載されるウエブページ数を、広告主体労力を抑えつつ、飛躍的に増加させることのできる広告システムを提供することにある。
【課題を解決するための手段】
【０００５】
以上のような問題を解決する本発明は、以下のような構成を有する。  
ウエブページ情報が記憶されたウエブページ情報記憶部と、前記ウエブページ情報記憶部に記憶されている表示情報を所有する表示主体を特定する情報を記憶する会員情報記憶部と、前記ウエブページ情報に付加される動画広告の動画情報を記憶する動画情報記憶部とを備えたサーバーと、
表示主体を特定する情報を前記サーバーに供給することで、前記サーバーのウエブページ情報記憶部からウエブページ情報を取得して、これを画面のウエブページ表示領域に表示するブラウザを備えた表示端末とを備え、
前記ブラウザは、表示画面上に表示された複数のウエブページ表示領域のうちの１つに含まれている動画広告を、他のウエブページ表示領域へドラッグアンドドロップ操作によりコピー可能であって、
ドラッグアンドドロップ操作に基づき、コピー元のブラウザ情報を所有する表示主体を特定する情報を前記サーバーに供給するコピー元情報供給手段と、
コピー先のブラウザ情報を所有する表示主体を特定する情報を前記サーバーへ供給するコピー先情報供給手段とを有し、
前記サーバーは、前記コピー元情報供給手段からのコピー元情報の供給に基づき、コピー元情報によって特定された表示主体のポイント記憶部に記憶されているポイント数を変更するコピー元ポイント変更手段と、
前記コピー先情報供給手段からのコピー先情報の供給に基づき、コピー先情報によって特定された表示主体のポイント記憶部に記憶されているポイント数を変更するコピー先ポイント変更手段とを備えることを特徴とする広告システム。
【発明の効果】
【０００６】
請求項１記載の発明によれば、表示端末の画面上に複数表示されたブラウザ表示領域の間で、端末画面上で、端末使用者による動画広告のドラッグアンドドロップが可能であるため、動画広告を容易に多数のウエブページへ拡散させることができる。このため、広告主の労力を増やすことなく、動画広告が貼り付けられたウエブページ数を閲覧者によって拡大させることができる。また、動画広告のコピー元となるウエブページの表示主体と、コピー先となるウエブページの表示主体とにそれぞれ有価価値が加算される。このため、有価価値の加算が、ウエブページ間での動画広告のコピーを行う動機付けとなり、動画広告が貼り付けられたウエブページ数を、容易に増やすことができる。
【発明を実施するための最良の形態】
【０００７】
以下、本発明の広告システムの好ましい実施形態について、添付図面に基づき詳説する。本発明の広告システムは、サーバー２と、サーバー２にインターネットなどで代表される通信ネットワークＮeを介して接続された複数の端末２１、２２、２３・・・２ｎを備えている。  
サーバー２は、端末の有するブラウザによって閲覧されるウエブページ情報が格納されているウエブページ情報記憶部３１と、予め登録された会員に関する情報を記憶する会員情報記憶部３２と、動画広告の動画情報を記憶する動画情報記憶部３４と、サーバー２と各端末との通信を行う通信手段４１と、表示手段４２と、入力手段４３と、記憶手段４４と、制御手段４５とを備えている。
【０００８】
ウエブページ情報記憶部３１は、例えばＨＴＭＬ言語で構成されたデータを、後述する表示主体毎に関連付けて記憶しており、また、新たに更新（変更）されたデータを記憶する。このデータには、動画を貼り付ける位置を示す情報も含まれる。  
会員情報記憶部３２は、予め登録された会員に関する情報を、会員毎に個別に記憶するファイルを備えている。図３は、会員情報記憶部３２の構成を示す図である。この会員に関する情報とは、会員毎に個別に付与されたＩＤ番号、パスワード、氏名、メールアドレス、蓄積されたポイント数、ウエブページを有している場合には、ウエブページ情報に付与されたｈｔｔｐで始まるＵＲＬ(Uniform Resource Locator)などである。ＩＤ番号、パスワード、ＵＲＬなどは、会員を特定する情報として利用され、またＵＲＬはウエブページを特定する情報としても利用される。
【０００９】
動画情報記憶部３４は、端末２１・・・２ｎに表示されたブラウザ情報の表示領域内に貼り付けられる動画広告に関する情報を記憶する。具体的には、動画広告がFlashファイルなどとして記憶されている。このFlashファイルには、動画の終了時に表示される操作手段（ボタン等）に関するデータも含まれる。  
通信手段４１は、例えば、ブラウザ情報、動画情報等を表示端末２１・・・２ｎとの間で、送受信することができる。
【００１０】
表示手段４２は、例えば、液晶ディスプレイなどで構成することができ、入力手段４３での入力操作に内容に基づいて所定のデータや、入力用の画面等を表示し、またウエブページ情報などを表示することができる。  
入力手段４３は、キーボード、マウスなどのポインティングディバイスなどを備え、表示手段４２に表示された入力用画面に文字データ等を入力、或いは所定のデータを選択するために用いられる。  
記憶手段４４は、後述する制御手段４５の処理プログラムや、処理に必要なデータ等を記憶しており、これらのプログラムやデータは、適宜制御手段４５へロードされる。
【００１１】
制御手段４５は、例えばＣＰＵ（Central  Processing  Unit）及び、ワーキングエリアとしてのＲＡＭなどにより構成することができ、記憶手段４４に記憶されているプログラム等を読み込んで実行することにより、各種機能を発揮する。  
制御手段４５は、例えば、表示端末２１・・・２ｎからの動画広告コピー通知を受信すると、コピー元ウエブページの主体と、コピー先ウエブページの主体とを特定し、それぞれのポイント記憶部に記憶されているポイント数を加算する。
【００１２】
次に表示端末２ｎの構成について説明する。表示端末２ｎは、通信手段６１と、表示手段６２と、入力手段６３と、記憶手段６４と、制御手段６５とを備えている。通信手段６１は、サーバー２との間でブラウザ情報を送受信することができる。表示手段６２は、例えば液晶ディスプレイなどで構成される表示画面６２３を有し、ウエブブラウザ６４１によってブラウズしたサーバー２のウエブページ情報記憶部３１に記憶されている情報(ＨＴＭＬファイル等)を表示する。  
入力手段６３は、キーボード、マウスなどのポインティングディバイスなどを備え、表示手段６２に表示された入力用画面に文字データ等を入力、或いは所定のデータを選択するために用いられる。また、ポインティングディバイスは、表示画面６２３に表示されたブラウザ表示領域内の特定のモジュールをカーソル６３pで指定し、これを他のブラウザ表示領域(ウインドウ)へドラックアンドドロップする際に、用いられる。
【００１３】
記憶手段６４は、後述する制御手段６５の処理プログラムや、処理に必要なデータ等を記憶しており、これらのプログラムやデータは、適宜制御手段６５へロードされる。記憶手段６４に記憶されている処理プログラムとてしは、ウエブブラウザ６４１や、その他のアプリケーションソフト６４２がある。ウエブブラウザ６４１は、サーバー２のウエブページ情報記憶部３１に、ＨＴＭＬで記述されているデータを、ＨＴＴＰ(Hyper Text Transfer Protocol)を用いて読み出し、ＨＴＭＬコマンド／データを翻訳しながら文字や画像等の描画データの整形処理を行い表示端末２nの表示画面６２３の表示領域内に表示する。
【００１４】
ウエブブラウザ６４１は、ウエブページ上に表示されているメディアファイルをポインティングディバイスにより、他のウエブページへドラックアンドドロップした場合、ドラック操作を検出する検出手段と、ドロップ操作を検出する検出手段とを有している。  
ウエブブラウザ６４１は、ドラッグを検出した場合には、ドラックされたウエブページのＵＲＬとともに、サーバー２へドラックを通知し、また、ドロップを検出した場合には、ドロップされたウエブページのＵＲＬとともに、サーバー２へドロップを通知する。
【００１５】
制御手段６５は、例えばＣＰＵ（Central  Processing  Unit）及び、ワーキングエリアとしてのＲＡＭなどにより構成することができ、記憶手段６４に記憶されているプログラム等を読み込んで実行することにより、これらのプログラムの機能を実現する。即ち、記憶手段６４からウエブブラウザ６４１を読み込んで実行することで、既述のウエブブラウザ６４１の機能が実現され、ＨＴＭＬファイルの閲覧や、ドラックアンドドロップの検出、サーバー２への通知が行われる。
【００１６】
以上のように構成された広告システム１の動作について図５に示されているフローチャートに基づいて説明する。一例として、表示端末２１の動作と、サーバー２の動作を関連付けて説明する。表示端末２１においてウエブブラウザソフト６４１を起動し（ステップＳ１０１a）、サーバー２のウエブページ情報記憶部３１からＨＴＭＬファイルを取得しＩＤ、パスワードを入力するためのウエブページ表示領域(ウインドウ)Ｗａを、図６に示されているように、表示画面に表示する（ステップＳ１０３ａ）。  
ＩＤの入力ボックス６２４ａと、パスワードの入力ボックス６２５ａに、予め登録されているＩＤと、パスワードをそれぞれ入力する（ステップＳ１０５ａ）。これにより、入力それたＩＤとパスワード、即ち会員を特定するための情報がサーバー２へ供給される。
【００１７】
サーバー２では、表示端末２１から供給されたＩＤとパスワードと、予め会員情報記憶部３２に記憶されている会員のデータファイルと照合し、記憶されているＩＤとパスワードの組み合わせと、供給されたＩＤとパスワードの組み合わせとを照合する（ステップＳ２０１）。  
一致した場合には、会員用のＨＴＭＬデータを表示端末２１に供給し、表示端末２１では、会員用ウエブページをウインドウＷａに表示する（ステップＳ１０７ａ）。一致しない場合には、エラーを告げるＨＴＭＬデータを表示端末２１に供給し、表示端末２１では、エラーページをウインドウＷａに表示する。
【００１８】
一方、表示端末２１では、上記ステップＳ１０１ａ〜１０７ａと同様の操作をステップＳ１０１ｂ〜１０７ｂとして別個に行い、図７に示されているように、別のウインドウＷｂを表示画面６２３内に表示する。このウインドウＷｂは、ステップＳ１０１ｂ〜１０７ｂの操作を行う代わりに、ステップＳ１０７ａで表示されたウエブページ内に含まれるリンクに基づき、新たにウインドウを作成して表示してもよい。  
この場合、ウインドウＷｂには、ステップＳ１０５ａ、１０５ｂで入力したＩＤを有する会員の有するウエブページが表示され、ウインドウＷａには、ウエブページからリンクをはられた他の会員のウエブページが表示される。いずれのウエブページも、サーバー２の会員情報記憶部３２に記憶された会員が所有するウエブページである。
【００１９】
ウインドウＷａに表示を構成するＨＴＭＬファイルには、Flashファイルが添付され、図７に示されているように、ウインドウＷａに表示されるウエブページには、動画ＣＭ３４１ｃが貼り付けられている。  
図７に示されているように、ウインドウＷａ内の動画ＣＭ３４１ｃ上にポインティングディバイスのカーソル６３ｐを重ね、ドラッグアンドドップ操作により、動画ＣＭ３４１ｃをウインドウＷｂへ移動させる。この時、ウエブブラウザは、ドラッグ操作を検出する（ステップＳ１０９ａ）。さらに、ドラッグの基点とされたウインドウＷａのウエブページを特定する情報（ＵＲＬ）と、ドラッグされたFlashファイルを特定するデータを取得し（ステップＳ１１１a）、これをドラックされた旨を通知する信号としてサーバー２へ供給する（ステップＳ１１３ａ）。ステップＳ１１１ａ、１１３ａによって、コピー元情報供給手段が構成される。
【００２０】
サーバー２は、表示端末２１から供給されたウインドウＷａに表示されたウエブページのＵＲＬに基づき、会員情報記憶部３２に記憶されている会員データから、該ＵＲＬに対応して記憶されている会員を検索し（ステップＳ２０３）、該会員に蓄積されている有価価値としてのポイントに、所定のポイント数を加算する（ステップＳ２０５）。このステップＳ２０５によってコピー元ポイント変更手段が構成される。
【００２１】
一方、FlashファイルがドロップされたウインドウＷｂ側では、ドロップ操作を検出する（ステップＳ１０９ｂ）。ウインドウＷｂのウエブページを特定する情報（ＵＲＬ）と、ドロップされたFlashファイルを特定するデータを取得し（ステップＳ１１１ｂ）、これをドロップされた旨を通知する信号としてサーバー２へ供給する（ステップＳ１１３ｂ）。ステップＳ１１１ｂ、１１３ｂによって、コピー先情報供給手段が構成される。
【００２２】
サーバー２は、表示端末２１から供給されたウインドウＷｂに表示されたウエブページのＵＲＬに基づき、会員情報記憶部３２に記憶されている会員データから、該ＵＲＬに対応して記憶されている会員を検索し（ステップＳ２０７）、該会員に蓄積されているポイントに、所定の数を加算する（ステップＳ２０９）。このステップＳ２０９によって、コピー先ポイント変更手段か構成される。さらに、供給されたFlashファイル情報に基づき、ドロップされたFlashファイルを特定し、ウエブページ情報記憶部３１に記憶されている、ウインドウＷｂに表示されたウエブページのＨＴＭＬデータを、Flashファイルが貼り付けられた状態に更新する（ステップＳ２１１）。
【００２３】
加算されるポイントは、Flash ファイルに記録されている動画の長さに応じて異なる設定としてもよい。或いは、ドラッグの基点となったウエブページと、ドロップされたウエブページとで、加算されるポイント数を異なる設定としてもよい。ドロップされたウエブページへの加算ポイントを多くすることによって、Flash ファイルの他のウエブページへのコピー動機付けをさらに高くし、Flash ファイルが貼り付けられたウエブページをより多く増加させることができる。
【図面の簡単な説明】
【００２４】
【図１】広告システムの構成を示すブロック図である。
【図２】サーバーの構成を示すブロック図である。
【図３】会員情報記憶部の構成を示す図である。
【図４】表示端末の構成を示すブロック図である。
【図５】広告システムの動作を示すフローチャートである。
【図６】表示端末に表示されたウインドウの構成を示す図である。
【図７】表示端末に表示された２つのウインドウの構成を示す図である。
【符号の説明】
【００２５】
１  広告システム
２  サーバー
２１、２２、・・・２ｎ    表示端末
３１  ウエブページ情報記憶部
３２  会員情報記憶部
６４１  ウエブブラウザ
Ｗａ  ウンインドウ
【図１】
2007286658.tif 000003
【図２】
2007286658.tif 000004
【図３】
2007286658.tif 000005
【図４】
2007286658.tif 000006
【図５】
2007286658.tif 000007
【図６】
2007286658.tif 000008
【図７】
2007286658.tif 000009